(57)【特許請求の範囲】
【請求項１】
開口部と、
前記開口部から電子部品を収納する収納部と、
防水を図って前記開口部を塞ぐ蓋と、
前記蓋の防水部周囲に形成され、外周に突起を有するリブと、
前記開口部の防水部周囲に設けられ、前記リブの突起に重なり合って互いに固定可能な突起を内周に有するベルトと、
前記ベルトを移動操作する操作部と、を備えることを特徴とする電子部品収納装置。
【請求項２】
前記操作部は、前記ベルトの外周に設けた歯に噛み合う歯を有する回転操作部材であることを特徴とする請求項１に記載の電子部品収納装置。
【請求項３】
前記ベルトの外れを規制するカバーを備えることを特徴とする請求項１又は２に記載の電子部品収納装置。
【請求項４】
前記電子部品は電池であることを特徴とする請求項１から３のいずれか一項に記載の電子部品収納装置。
【請求項５】
請求項１から４のいずれか一項に記載の電子部品収納装置を筐体に備えることを特徴とする電子機器。
【発明の詳細な説明】
【技術分野】
【０００１】
本発明は、開口部から電子部品を収納する電子部品収納装置と、その電子部品収納装置を備える電子機器に関する。
【背景技術】
【０００２】
携帯電話機において、電池蓋に設けた突起、爪を引っ掛けて蓋を閉じるとともに、パッキンを押し付けて防水を図った電池蓋防水構造が特許文献１に開示される。 
【先行技術文献】
【特許文献】
【０００３】
【特許文献１】特開平１１−２５９４０号公報
【発明の概要】
【発明が解決しようとする課題】
【０００４】
特許文献１の電池蓋防水構造では、突起、爪を引っ掛けた部分は押し込みによりパッキンの弾性力に抗して嵌っていくが、突起、爪の無い蓋部分は浮いてしまう恐れがあった。
【０００５】
本発明の課題は、防水を図った蓋を閉める際に浮きを防止することである。
【課題を解決するための手段】
【０００６】
以上の課題を解決するため、請求項１に記載の発明は、開口部と、前記開口部から電子部品を収納する収納部と、防水を図って前記開口部を塞ぐ蓋と、前記蓋の防水部周囲に形成され、外周に突起を有するリブと、前記開口部の防水部周囲に設けられ、前記リブの突起に重なり合って互いに固定可能な突起を内周に有するベルトと、前記ベルトを移動操作する操作部と、を備える電子部品収納装置を特徴とする。
【０００８】
請求項２に記載の発明は、請求項１に記載の電子部品収納装置であって、前記操作部は、前記ベルトの外周に設けた歯に噛み合う歯を有する回転操作部材であることを特徴とする。
【０００９】
請求項３に記載の発明は、請求項１又は２に記載の電子部品収納装置であって、前記ベルトの外れを規制するカバーを備えることを特徴とする。
【００１０】
請求項４に記載の発明は、請求項１から３のいずれか一項に記載の電子部品収納装置であって、前記電子部品は電池であることを特徴とする。
【００１１】
請求項５に記載の発明は、請求項１から４のいずれか一項に記載の電子部品収納装置を筐体に備える電子機器を特徴とする。
【発明の効果】
【００１２】
本発明によれば、防水を図った蓋を閉める際に浮きを防止することができる。
【図面の簡単な説明】
【００１３】
【図１】本発明を適用した電子機器の一実施形態の構成を示すもので、携帯電話に電子部品を収納した状態を示す斜視図である。
【図２】図１の各部品及び蓋の分解斜視図である。
【図３】図１の携帯電話と図２の蓋の内面とを並べて示した平面図である。
【図４】図１の矢印Ａ−Ａ線に沿って蓋との関係を示した断面図である。
【図５】図１の矢印Ｂ−Ｂ線に沿って蓋との関係を示した断面図である。
【図６】図５の矢印Ｃ部の拡大図である。
【図７】ベルトの移動操作を説明する図である。
【図８】蓋を閉めてリブが入った状態を示した平面図である。
【図９】図８の矢印Ｄ部の拡大図である。
【図１０】図８の状態から操作部を回転した状態を示した図である。
【図１１】図１０の矢印Ｅ部の拡大図である。
【図１２】図１０の状態から操作部をさらに回転した状態を示した図である。
【図１３】図１２の矢印Ｆ部の拡大図である。
【図１４】操作部の変形例を示す平面図である。
【発明を実施するための形態】
【００１４】
以下、図を参照して本発明を実施するための形態を詳細に説明する。
（実施形態）
図１及び図２は本発明を適用した電子機器の一実施形態の構成として携帯電話に電子部品を収納した状態を示すもので、図３は携帯電話と蓋の内面とを並べて示したものであり、１は筐体、２は電池、３は電池蓋（電子部品）、４はパッキン、５はベルト、６はベルトカバー、７はロックノブ（操作部）、８はナット、９はパッキン、１０はネジである。
【００１５】
図示のように、筐体１の背面には、電子部品としての電池２を収納する収納部１１が形成されており、電池２は、開口部１２から収納部１１に収納される。この収納部１１の開口部１２には、防水を図って塞ぐ電池蓋３が着脱自在となっている。収納部１１の周囲には、その四辺に沿って囲むパッキン溝１３が形成されるとともに、その外側に沿って囲む嵌付溝１４が形成されている。パッキン溝１３にパッキン４が嵌め込まれ、嵌付溝１４には、ベルト５及びその上のベルトカバー６が組み付けられている。
【００１６】
電池蓋３の内面には、図３に示すように、その四辺に沿って囲む防水用の第１リブ３１が一体に形成されるとともに、その外側に沿って囲む嵌付用の第２リブ３２が一体に形成されている。第１リブ３１は、筐体１のパッキン溝１３に対応する。そして、第２リブ３２の外周には、電池蓋３の四辺に沿って二個一組の突起３３がそれぞれ形成されるとともに、四隅部に沿って幅広突起３４が形成されている。
【００１７】
ベルト５は、硬めのエラストマ製で、嵌付溝１４の上辺に対応する中央外周に三個の歯５１が形成されるとともに、四辺に沿った内周に三個一組の突起５３が形成されている。突起５３の間隔は、電池蓋３の第２リブ３２の突起３３に対応する。さらに、ベルト５の嵌付溝１４からの外れを防止するため、ベルト５の上に重ねてベルトカバー６が設けられている。
【００１８】
ベルトカバー６は、嵌付溝１４の上下辺に対応する左右外周に形成した一対の係止爪６１を、嵌付溝１４の上下辺の外周にそれぞれ差し込むことで抜け止め係止される。このベルトカバー６には、嵌付溝１４の上辺に対応する中央外周に、ロックノブ７の下半部周囲を覆う突出片６２が一体に形成されている。
【００１９】
操作部としてのロックノブ７は、図４に示すように、電池蓋３のノブ通し穴３７に位置するもので、筐体１の背面に対しナット８、パッキン９、及びネジ１０で防水を図りつつ回転操作可能に組み付けられている。このロックノブ７の下部には、略半周に渡って四個の歯７１が一体に形成されている。この歯７１の間隔は、ベルト５の外周の歯５１に対応する。なお、ロックノブ７の頭部には、工具やコイン等を当てて回転操作するための操作溝７２が形成されている。
【００２０】
図５は図１の矢印Ｂ−Ｂ線に沿って電池蓋３との関係を示した断面図で、図６は図５の矢印Ｃ部の拡大図である。
【００２１】
図示のように、筐体１の収納部１１に開口部１２から電池２を収納して電池蓋３を装着した状態において、収納部１１周囲のパッキン溝１３内のパッキン４が、電池蓋３の第１リブ３１で押圧されることにより防水されている。そして、パッキン溝１３周囲の嵌付溝１４内において、第１リブ３１周囲の第２リブ３２外周の突起３３及び幅広突起３４の上に、ベルトカバー６で抜け止めされたベルト５内周の突起５３が重なることで、電池蓋３が全周囲を嵌め付けられた状態に保持されている。
【００２２】
このように、電池蓋３の防水部となる第１リブ３１周囲に形成され、外周に突起３３及び幅広突起３４を有する第２リブ３２と、筐体１の開口部１２の防水部となるパッキン溝１３周囲の嵌付溝１４において、電池蓋３の第２リブ３２の突起３３及び幅広突起３４に重なり合って互いに固定可能な突起５３を内周に有するベルト５と、そのベルト５を移動操作するロックノブ７とから、電池蓋３に嵌付力を与える機構が構成されている。
【００２３】
次に、図７はベルト５の移動操作を説明するもので、ロックノブ７を矢印で示すように回転操作すると、ロックノブ７の歯７１に歯５１で噛み合うベルト５が矢印で示すように嵌付溝１４内の外周に沿って移動する。
【００２４】
図８は電池蓋３を閉めて第１リブ３１及び第２リブ３２が入った状態を示したもので、図９はその矢印Ｄ部の拡大図である。
【００２５】
電池蓋３を閉める際は、先ず、図示のように、筐体１の嵌付溝１４内において、ベルト５内周の突起５３の間に、電池蓋３の第２リブ３２外周の突起３３及び幅広突起３４が入り込む。そして、ロックノブ７を回転操作して、そのロックノブ７の歯７１に歯５１で噛み合うベルト５を嵌付溝１４内の外周に沿って移動させる。
【００２６】
図１０はロックノブ７を回転した状態を示したもので、図１１はその矢印Ｅ部の拡大図である。
【００２７】
ロックノブ７の回転操作によりベルト５が移動すると、図示のように、電池蓋３の第２リブ３２外周の突起３３及び幅広突起３４の上に、ベルト５内周の突起５３がそれぞれ重なり始める。
【００２８】
図１２はロックノブ７をさらに回転した状態を示したもので、図１３はその矢印Ｆ部の拡大図である。
【００２９】
さらに、ロックノブ７を回転操作してベルト５を移動させると、図示のように、電池蓋３の第２リブ３２外周の突起３３及び幅広突起３４の上に、ベルト５内周の突起５３が完全にそれぞれ重なり、電池蓋３が全周囲に渡って密閉された状態になる。
【００３０】
なお、電池蓋３を開ける際は、ロックノブ７を矢印方向と逆方向に回転操作する。
【００３１】
以上、実施形態の携帯電話によれば、筐体１のパッキン溝１３周囲の嵌付溝１４内において、電池蓋３の第１リブ３１周囲の第２リブ３２外周の突起３３及び幅広突起３４の上に、ベルトカバー６で抜け止めされたベルト５内周の突起５３が重なって、電池蓋３が全周囲を嵌め付けられた状態に保持されるため、電池蓋３を閉める際の浮きを防止することができる。
【００３２】
（変形例）
図１４は操作部の変形例を示すもので、図示のように、筐体１の嵌付溝１４から一側部に開口させて形成した貫通穴１５に、ベルト５の外周に一体形成したスライド摘み５５を配置して外部に突出させる。なお、貫通穴１５の開口部側には、スライド摘み５５のスライド動作を許容しながら防水を図るシールラバー１６を設けておく。
【００３３】
このように、スライド摘み５５のスライド操作によりベルト５を移動させる構成としてもよい。
【００３４】
（他の変形例）
以上の実施形態においては、携帯電話としたが、本発明はこれに限定されるものではなく、ＰＤＡ、ノートパソコン、ウェアラブルパソコン、電卓、電子辞書、車両など電池などの電子機器収納装置を用いた電子機器の全てに用いることができる。
また、実施形態とは逆に、リブが筐体、溝が蓋に設けられたものでも良い。
さらに、収納されるのは電池以外にメモリーカードなど他の電子部品であってもよい。
【００３５】
また、開口部、収納部、防水部、リブ、ベルト、突起の形状等も任意であり、例えば、筐体にも嵌付溝内で電池蓋の第２リブに重なるリブを設けて、ベルトに上下の突起を設け、重なり合った両方のリブの突起を、ベルトの上下の突起による断面コ字形部で挟み込むようにしてもよい。
さらに、その他、具体的な細部構造等についても適宜に変更可能であることは勿論である。
【符号の説明】
【００３６】
１  筐体
１１  収納部
１２  開口部
１３  パッキン溝
１４  嵌付溝
２  電池
３  電池蓋
３２  リブ
３３  突起
３４  幅広突起
３７  ノブ通し穴
４  パッキン
５  ベルト
５１  歯
５３  突起
５５  操作部
６  ベルトカバー
６１  係止爪
６２  突出片
７  操作部
７１  歯
７２  操作溝
８  ナット
９  パッキン
１０  ネジ
【図１】
0005388202.tif 000002
【図２】
0005388202.tif 000003
【図３】
0005388202.tif 000004
【図４】
0005388202.tif 000005
【図５】
0005388202.tif 000006
【図６】
0005388202.tif 000007
【図７】
0005388202.tif 000008
【図８】
0005388202.tif 000009
【図９】
0005388202.tif 000010
【図１０】
0005388202.tif 000011
【図１１】
0005388202.tif 000012
【図１２】
0005388202.tif 000013
【図１３】
0005388202.tif 000014
【図１４】
0005388202.tif 000015